(57)【特許請求の範囲】
【請求項１】
予め定められた原動機停止条件で原動機を停止する原動機制御装置と、原動機により駆動される油圧供給源からの油圧を用いて複数の摩擦要素を係合又は解放させて変速を行う自動変速機とを有する原動機停止システムであって、
前記摩擦要素に連通されて前記摩擦要素の油圧を制御する油圧制御手段と、
前記摩擦要素と前記油圧制御手段とを連通する連通路と、
前記連通路と並列に設けられたバイパス路と、
前記バイパス路に設けられて油圧を蓄圧する蓄圧手段と、
前記バイパス路内であり且つ前記蓄圧手段と前記油圧制御手段との間に設けられて前記蓄圧手段から前記油圧制御手段への圧油の流れを阻止する逆流防止弁と、
前記連通路内に設けられて前記連通路を開閉する連通路開閉手段と、
前記バイパス路内であり且つ前記蓄圧手段と前記摩擦要素との間に設けられて前記バイパス路を開閉するバイパス路開閉手段と
を備え、
原動機通常運転時は、前記連通路開閉手段を開状態とし且つ前記バイパス路開閉手段を閉状態とする一方、前記原動機停止条件では、前記連通路開閉手段を閉状態とし且つ前記バイパス路開閉手段を開状態とするように構成されたことを特徴とする原動機停止システム。
【請求項２】
前記連通路開閉手段と前記バイパス路開閉手段とを共通の弁体によって構成したことを特徴とする請求項１に記載の原動機停止システム。
【請求項３】
前記油圧供給源からのライン圧の低下に応じて、前記連通路開閉手段を閉状態に、前記バイパス路開閉手段を開状態にそれぞれ切り換えるように構成したことを特徴とする請求項１又は２に記載の原動機停止システム。
【請求項４】
前記バイパス路内であり且つ前記蓄圧手段と前記摩擦要素との間に設けられて、前記蓄圧手段からの油圧を一定値に減圧する減圧手段を更に備えたことを特徴とする請求項１乃至３のいずれかに記載の原動機停止システム。
【請求項５】
予め定められた原動機停止条件で原動機を停止する原動機制御装置と、原動機により駆動される油圧供給源からの油圧を用いて複数の摩擦要素を係合又は解放させて変速を行う自動変速機とを有する原動機停止システムであって、
前記摩擦要素に連通されて前記摩擦要素の油圧を制御する油圧制御手段と、
前記摩擦要素と前記油圧制御手段とを連通する第１連通路と、
前記第１連通路から分岐した分岐路と、
前記分岐路に設けられて油圧を蓄圧する蓄圧手段と、
前記蓄圧手段と前記油圧供給源とを連通する第２連通路と、
前記第２連通路内に設けられて前記蓄圧手段から前記油圧供給源への圧油の流れを阻止する逆流防止弁と、
前記第１連通路内に設けられて前記第１連通路を開閉する第１連通路開閉手段と、
前記分岐路内に設けられて前記分岐路を開閉する分岐路開閉手段と
を備え、
原動機通常運転時は、前記第１連通路開閉手段を開状態とし且つ前記分岐路開閉手段を閉状態とする一方、前記原動機停止条件では、前記第１連通路開閉手段を閉状態とし且つ前記分岐路開閉手段を開状態とするように構成されたことを特徴とする原動機停止システム。
【請求項６】
前記第１連通路開閉手段と前記分岐路開閉手段とを共通の弁体によって構成したことを特徴とする請求項５に記載の原動機停止システム。
【請求項７】
前記油圧供給源からのライン圧の低下に応じて、前記第１連通路開閉手段を閉状態に、前記分岐路開閉手段を開状態にそれぞれ切り換えるように構成したことを特徴とする請求項５又は６に記載の原動機停止システム。
【請求項８】
前記分岐路内であり且つ前記蓄圧手段と前記摩擦要素との間に設けられて、前記蓄圧手段からの油圧を一定値に減圧する減圧手段を更に備えたことを特徴とする請求項５乃至７のいずれかに記載の原動機停止システム。
【請求項９】
予め定められた原動機停止条件で原動機を停止する原動機制御装置と、原動機により駆動される油圧供給源からの油圧を用いて複数の摩擦要素を係合又は解放させて変速を行う自動変速機とを有する原動機停止システムであって、
前記摩擦要素に連通されて前記摩擦要素の油圧を制御する油圧制御手段と、
前記摩擦要素と前記油圧制御手段とを連通する連通路と、
前記連通路と並列に設けられたバイパス路と、
前記バイパス路に設けられて油圧を蓄圧する蓄圧手段と、
前記バイパス路内であり且つ前記蓄圧手段と前記油圧制御手段との間に設けられて前記蓄圧手段から前記油圧制御手段への圧油の流れを阻止する逆流防止弁と、
前記バイパス路内における前記蓄圧手段と前記摩擦要素との間に設けられて、前記蓄圧手段からの油圧を一定値に減圧する減圧手段と
を備えたことを特徴とする原動機停止システム。
【請求項１０】
前記減圧手段における減圧圧力設定値は、前記摩擦要素のピストンストローク終了荷重に相当する油圧よりもやや高いことを特徴とする請求項４又は８又は９に記載の原動機停止システム。
【請求項１１】
原動機通常運転時には出力圧を発生する一方、原動機停止状態では出力圧を低下させる電磁油圧出力手段を備え、
前記減圧手段は、減圧圧力設定値を決定する弾性手段と、前記弾性手段と対向する方向に出力圧の帰還圧力を受圧する第１受圧面と、前記弾性手段と対向する方向に圧力を受圧する第２受圧面とを有し、
前記電磁油圧出力手段の出力圧を前記第２受圧面に導入するように構成されたことを特徴とする請求項４又は８乃至１０のいずれかに記載の原動機停止システム。
【請求項１２】
前記バイパス路は、前記油圧制御手段に代えて前記油圧供給源に連通され、
前記蓄圧手段への圧力供給が前記油圧供給源から行われることを特徴とする請求項９乃至１１のいずれかに記載の原動機停止システム。
【請求項１３】
前記摩擦要素の油圧を検出する圧力検出手段を備え、
前記原動機停止条件において前記圧力検出手段による検出圧力が前記摩擦要素のピストンストローク終了荷重に相当する油圧以下になった場合に、原動機停止状態を解除するように構成されたことを特徴とする請求項１乃至１２のいずれかに記載の原動機停止システム。
【発明の詳細な説明】
【技術分野】
【０００１】
本発明は、交差点等で原動機の自動停止と自動始動とを実行する原動機停止システムに関し、特に自動変速機を備えた車両に用いられる原動機停止システムに関する。
【背景技術】
【０００２】
従来、市街地走行時に、交差点等で自動車が停車した場合、所定の停止条件下で原動機（エンジン）を自動停止させ、その後、所定の始動条件下で原動機を再始動させることにより、燃料を節約したり、排気エミッションを向上させる原動機停止システムが知られている（例えば、特許文献１等参照。）。
【０００３】
第１の従来例の原動機停止システム１０１では、図１２に示すように、図示しない原動機の駆動力により油圧を発生するオイルポンプ１０６とコントロールバルブ１１１との間の油圧経路上にアキュームレータ１１４を配設し、所定の停止条件で原動機が停止してオイルポンプ１０６から油圧が供給されなくなっても、アキュムレータ１１４から自動変速機１０５の発進クラッチ１０４への油圧が維持されるように構成されている。
【０００４】
また、第２の従来例の原動機停止システム１０１’では、オイルポンプ１０６とは別に電動ポンプ１０６’が設けられ、所定の停止条件で原動機が停止してオイルポンプ１０６から油圧が供給されなくなっても、電動ポンプ１０６’によって自動変速機１０５の発進クラッチ１０４への油圧が維持されるように構成されている。
【特許文献１】特開平８‐１４０７６号公報
【発明の開示】
【発明が解決しようとする課題】
【０００５】
しかしながら、第１の従来例の原動機停止システム１０１では、アキュームレータ１１４から他の回路（例えば、潤滑回路）へ作動油が漏れ出し、発進クラッチ１０４の油圧を維持できないという問題がある。また、第２の従来例の原動機停止システム１０１’では、オイルポンプ１０６とは別個に、特別な電動ポンプ１０６’を設けることによって、システム全体のコストが高くなるという問題がある。
【０００６】
本発明は、上述した問題点に鑑みてなされたものであり、簡単且つ安価な構成で再始動前の原動機停止時に摩擦要素への圧油の充填を確実に行うことにより、発進時の摩擦要素結合に伴うショックの発生を防止可能な原動機停止システムを提供することを解決すべき課題とする。
【課題を解決するための手段】
【０００７】
以下、上記課題を解決するのに適した各手段につき、必要に応じて作用効果等を付記しつつ説明する。
【０００８】
１．予め定められた原動機停止条件で原動機を停止する原動機制御装置と、原動機により駆動される油圧供給源からの油圧を用いて複数の摩擦要素を係合又は解放させて変速を行う自動変速機とを有する原動機停止システムであって、
前記摩擦要素に連通されて前記摩擦要素の油圧を制御する油圧制御手段と、
前記摩擦要素と前記油圧制御手段とを連通する連通路と、
前記連通路と並列に設けられたバイパス路と、
前記バイパス路に設けられて油圧を蓄圧する蓄圧手段と、
前記バイパス路内であり且つ前記蓄圧手段と前記油圧制御手段との間に設けられて前記蓄圧手段から前記油圧制御手段への圧油の流れを阻止する逆流防止弁と、
前記連通路内に設けられて前記連通路を開閉する連通路開閉手段と、
前記バイパス路内であり且つ前記蓄圧手段と前記摩擦要素との間に設けられて前記バイパス路を開閉するバイパス路開閉手段と
を備え、
原動機通常運転時は、前記連通路開閉手段を開状態とし且つ前記バイパス路開閉手段を閉状態とする一方、前記原動機停止条件では、前記連通路開閉手段を閉状態とし且つ前記バイパス路開閉手段を開状態とするように構成されたことを特徴とする原動機停止システム。
【０００９】
手段１によれば、原動機通常運転時は、摩擦要素と油圧制御手段とを連通する連通路が連通路開閉手段によって開状態とされるので、原動機により駆動される油圧供給源からの油圧を用いて複数の摩擦要素を係合又は解放させて自動変速機の変速が行われる。また、連通路と並列に設けられたバイパス路が蓄圧手段と油圧制御手段との間のバイパス路開閉手段によって閉状態とされるので、摩擦要素と蓄圧手段との間が遮断され、油圧制御手段からバイパス路を介して蓄圧手段に圧油が充填される。一方、原動機停止条件において原動機制御装置によって原動機が停止されて油圧供給源の駆動が停止された状態では、連通路が連通路開閉弁手段によって閉状態とされ且つバイパス路がバイパス路開閉手段によって開状態とされるので、逆流防止弁によって蓄圧手段から油圧制御手段への圧油の流れが阻止されつつ、蓄圧手段に充填された圧油がバイパス路を介して摩擦要素へ確実に供給される。よって、再始動前の原動機停止時に摩擦要素への圧油の充填を、特別な電動ポンプ等を用いることなく、簡単且つ安価な構成で確実に行うことができ、発進時の摩擦要素結合に伴うショックを確実に防止することができる。また、油圧制御手段よりも下流側のバイパス路に蓄圧手段が設けられているので、漏れ流量による圧力の低下が確実に防止される。
【００１０】
２．前記連通路開閉手段と前記バイパス路開閉手段とを共通の弁体によって構成したことを特徴とする手段１に記載の原動機停止システム。
【００１１】
手段２によれば、連通路開閉手段とバイパス路開閉手段とを共通の弁体とすることによって、より簡単且つ安価な構成とすることができる。
【００１２】
３．前記油圧供給源からのライン圧の低下に応じて、前記連通路開閉手段を閉状態に、前記バイパス路開閉手段を開状態にそれぞれ切り換えるように構成したことを特徴とする手段１又は２に記載の原動機停止システム。
【００１３】
手段３によれば、原動機の停止に伴って油圧供給源からのライン圧が低下すると、連通路開閉手段が閉状態に、バイパス路開閉手段が開状態にそれぞれ自動的に切り換えられて、蓄圧手段に充填された圧油が摩擦要素へ確実に供給される。
【００１４】
４．前記バイパス路内であり且つ前記蓄圧手段と前記摩擦要素との間に設けられて、前記蓄圧手段からの油圧を一定値に減圧する減圧手段を更に備えたことを特徴とする手段１乃至３のいずれかに記載の原動機停止システム。
【００１５】
手段４によれば、バイパス路内であり且つ蓄圧手段と摩擦要素との間に設けられた減圧手段によって、蓄圧手段からの油圧が一定値に減圧されるので、摩擦要素への圧油供給時間をより長くすることができる。
【００１６】
５．予め定められた原動機停止条件で原動機を停止する原動機制御装置と、原動機により駆動される油圧供給源からの油圧を用いて複数の摩擦要素を係合又は解放させて変速を行う自動変速機とを有する原動機停止システムであって、
前記摩擦要素に連通されて前記摩擦要素の油圧を制御する油圧制御手段と、
前記摩擦要素と前記油圧制御手段とを連通する第１連通路と、
前記第１連通路から分岐した分岐路と、
前記分岐路に設けられて油圧を蓄圧する蓄圧手段と、
前記蓄圧手段と前記油圧供給源とを連通する第２連通路と、
前記第２連通路内に設けられて前記蓄圧手段から前記油圧供給源への圧油の流れを阻止する逆流防止弁と、
前記第１連通路内に設けられて前記第１連通路を開閉する第１連通路開閉手段と、
前記分岐路内に設けられて前記分岐路を開閉する分岐路開閉手段と
を備え、
原動機通常運転時は、前記第１連通路開閉手段を開状態とし且つ前記分岐路開閉手段を閉状態とする一方、前記原動機停止条件では、前記第１連通路開閉手段を閉状態とし且つ前記分岐路開閉手段を開状態とするように構成されたことを特徴とする原動機停止システム。
【００１７】
手段５によれば、原動機通常運転時は、摩擦要素と油圧制御手段とを連通する第１連通路が第１連通路開閉手段によって開状態とされるので、原動機により駆動される油圧供給源からの油圧を用いて複数の摩擦要素を係合又は解放させて自動変速機の変速が行われる。また、第１連通路から分岐した分岐路が分岐路開閉手段によって閉状態とされるので、摩擦要素と蓄圧手段との間が遮断され、油圧供給源から第２連通路を介して蓄圧手段に圧油が充填される。一方、原動機停止条件において原動機制御装置によって原動機が停止されて油圧供給源の駆動が停止された状態では、第１連通路が第１連通路開閉弁手段によって閉状態とされ且つ分岐路が分岐路開閉手段によって開状態とされるので、第２連通路内に設けられた逆流防止弁によって蓄圧手段から油圧供給源への圧油の流れが阻止されつつ、蓄圧手段に充填された圧油が分岐路を介して摩擦要素へ確実に供給される。よって、再始動前の原動機停止時に摩擦要素への圧油の充填を、特別な電動ポンプ等を用いることなく、簡単且つ安価な構成で確実に行うことができ、発進時の摩擦要素結合に伴うショックを確実に防止することができる。また、油圧制御手段よりも下流側の分岐路に蓄圧手段が設けられているので、漏れ流量による圧力の低下が確実に防止される。
【００１８】
６．前記第１連通路開閉手段と前記分岐路開閉手段とを共通の弁体によって構成したことを特徴とする手段５に記載の原動機停止システム。
【００１９】
手段６によれば、第１連通路開閉手段と分岐路開閉手段とを共通の弁体とすることによって、より簡単且つ安価な構成とすることができる。
【００２０】
７．前記油圧供給源からのライン圧の低下に応じて、前記第１連通路開閉手段を閉状態に、前記分岐路開閉手段を開状態にそれぞれ切り換えるように構成したことを特徴とする手段５又は６に記載の原動機停止システム。
【００２１】
手段７によれば、原動機の停止に伴って油圧供給源からのライン圧が低下すると、第１連通路開閉手段が閉状態に、分岐路開閉手段が開状態にそれぞれ自動的に切り換えられて、蓄圧手段に充填された圧油が摩擦要素へ確実に供給される。
【００２２】
８．前記分岐路内であり且つ前記蓄圧手段と前記摩擦要素との間に設けられて、前記蓄圧手段からの油圧を一定値に減圧する減圧手段を更に備えたことを特徴とする手段５乃至７のいずれかに記載の原動機停止システム。
【００２３】
手段８によれば、分岐路内であり且つ蓄圧手段と摩擦要素との間に設けられた減圧手段によって、蓄圧手段からの油圧が一定値に減圧されるので、摩擦要素への圧油供給時間をより長くすることができる。
【００２４】
９．予め定められた原動機停止条件で原動機を停止する原動機制御装置と、原動機により駆動される油圧供給源からの油圧を用いて複数の摩擦要素を係合又は解放させて変速を行う自動変速機とを有する原動機停止システムであって、
前記摩擦要素に連通されて前記摩擦要素の油圧を制御する油圧制御手段と、
前記摩擦要素と前記油圧制御手段とを連通する連通路と、
前記連通路と並列に設けられたバイパス路と、
前記バイパス路に設けられて油圧を蓄圧する蓄圧手段と、
前記バイパス路内であり且つ前記蓄圧手段と前記油圧制御手段との間に設けられて前記蓄圧手段から前記油圧制御手段への圧油の流れを阻止する逆流防止弁と、
前記バイパス路内における前記蓄圧手段と前記摩擦要素との間に設けられて、前記蓄圧手段からの油圧を一定値に減圧する減圧手段と
を備えたことを特徴とする原動機停止システム。
【００２５】
手段９によれば、原動機通常運転時は、摩擦要素と油圧制御手段とを連通する連通路を介し、原動機により駆動される油圧供給源からの油圧を用いて複数の摩擦要素を係合又は解放させて自動変速機の変速が行われると共に、連通路と並列に設けられたバイパス路を介して油圧制御手段から蓄圧手段に圧油が充填される。一方、原動機停止条件において原動機制御装置によって原動機が停止されて油圧供給源の駆動が停止された状態では、逆流防止弁によって蓄圧手段から油圧制御手段への圧油の流れが阻止されつつ、蓄圧手段に充填された圧油が、バイパス路内における蓄圧手段と摩擦要素との間に設けられた減圧手段によって一定値に減圧されて摩擦要素へ長時間に亘り確実に供給される。よって、再始動前の原動機停止時に摩擦要素への圧油の充填を、特別な電動ポンプ等を用いることなく、簡単且つ安価な構成で確実に行うことができ、発進時の摩擦要素結合に伴うショックを確実に防止することができる。また、油圧制御手段よりも下流側のバイパス路に蓄圧手段が設けられているので、漏れ流量による圧力の低下が確実に防止される。
【００２６】
１０．前記減圧手段における減圧圧力設定値は、前記摩擦要素のピストンストローク終了荷重に相当する油圧よりもやや高いことを特徴とする手段４又は８又は９に記載の原動機停止システム。
【００２７】
手段１０によれば、減圧手段における減圧圧力設定値は、摩擦要素のピストンストローク終了荷重に相当する油圧よりもやや高いので、蓄圧手段からの圧油によって摩擦要素の係合状態が維持され、再始動時の再係合によるショックを確実に防止することができる。
【００２８】
１１．原動機通常運転時には出力圧を発生する一方、原動機停止状態では出力圧を低下させる電磁油圧出力手段を備え、
前記減圧手段は、減圧圧力設定値を決定する弾性手段と、前記弾性手段と対向する方向に出力圧の帰還圧力を受圧する第１受圧面と、前記弾性手段と対向する方向に圧力を受圧する第２受圧面とを有し、
前記電磁油圧出力手段の出力圧を前記第２受圧面に導入するように構成されたことを特徴とする手段４又は８乃至１０のいずれかに記載の原動機停止システム。
【００２９】
手段１１によれば、原動機通常運転時には電磁油圧出力手段が出力圧を発生して第２受圧面に導入され、弾性手段と対向する方向に圧力を受圧して蓄圧手段と摩擦要素との間が遮断されるので、油圧制御手段からバイパス路を介して蓄圧手段に圧油が充填される。一方、原動機停止状態では、電磁油圧出力手段が出力圧を低下させると、弾性手段と対向する方向に第１受圧面が出力圧の帰還圧力を受圧することにより、蓄圧手段からの圧油が減圧圧力設定値に減圧されて摩擦要素へ長時間に亘り確実に供給される。
【００３０】
１２．前記バイパス路は、前記油圧制御手段に代えて前記油圧供給源に連通され、
前記蓄圧手段への圧力供給が前記油圧供給源から行われることを特徴とする手段９乃至１１のいずれかに記載の原動機停止システム。
【００３１】
手段１２によれば、油圧供給源から圧力供給されて蓄圧手段に充填された圧油が、原動機停止条件において、バイパス路内における蓄圧手段と摩擦要素との間に設けられた減圧手段によって一定値に減圧されて摩擦要素へ長時間に亘り確実に供給される。
【００３２】
１３．前記摩擦要素の油圧を検出する圧力検出手段を備え、
前記原動機停止条件において前記圧力検出手段による検出圧力が前記摩擦要素のピストンストローク終了荷重に相当する油圧以下になった場合に、原動機停止状態を解除するように構成されたことを特徴とする手段１乃至１２のいずれかに記載の原動機停止システム。
【００３３】
手段１３によれば、原動機停止条件において圧力検出手段による検出圧力が摩擦要素のピストンストローク終了荷重に相当する油圧以下になった場合に原動機停止状態が解除されるので、原動機停止状態が継続して摩擦要素の油圧が低下した場合に、摩擦要素の再係合によるショックを発生させることなく原動機を自動的に再始動することができる。
【発明を実施するための最良の形態】
【００３４】
以下、本発明を具体化した原動機停止システムの一実施形態について図面を参照しつつ説明する。図１は、本実施形態の原動機停止システム１を示す全体構成図である。
【００３５】
原動機停止システム１は、予め定められた原動機停止条件で原動機（エンジン）２を停止する原動機制御装置３と、自動変速機５と、原動機２により駆動される油圧供給源としてのオイルポンプ６からの油圧を自動変速機５の複数の摩擦要素へ供給する油圧制御装置１０とを備えている。
【００３６】
原動機制御装置３は、ＣＰＵ，ＲＯＭ，ＲＡＭ等を有する公知の電子制御装置であり、るので、原動機停止条件に基づく原動機停止信号、原動機停止を解除する再始動信号、油圧制御装置１０に設けられる電磁弁の駆動信号等を出力する。
【００３７】
尚、原動機停止条件とは、例えば、車速が０であること、原動機回転数が予め定めたアイドル回転数以下であること、アイドルスイッチがオンであること、スロットルバルブが全閉であること、パーキングブレーキが作動していること、及びシフトがＤ，Ｌ，Ｓのいずれかのレンジとなっていることの全てを満足する場合を意味する。
【００３８】
自動変速機５は、発進クラッチ４やその他のクラッチ及びブレーキを含む複数の摩擦要素を係合又は解放させて変速を行う公知の自動変速装置である。
【００３９】
油圧制御装置１０は、コントロールバルブ１１と、連通路１２と、バイパス路１３と、アキュームレータ１４と、逆流防止弁１５と、連通路開閉弁１６と、バイパス路開閉弁１７とを備えている。
【００４０】
コントロールバルブ１１は、自動変速機５の複数の摩擦要素に連通されて、各摩擦要素の油圧を制御する装置であり、本発明の油圧制御手段を構成するものである。コントロールバルブ１１は、自動変速機のシフトを決定するバルブ群からなり、原動機２の運転状態に基づいて、電磁弁１８から供給されるモジュレータ圧（Ｐｍ）によってバルブ群を切り換えることにより、オイルポンプ５１からのライン圧（ＰＬ）の供給先を切り替えて発進クラッチ４や他のクラッチやブレーキの係合又は解放を実行して必要なシフト状態を実現する。
【００４１】
連通路１２は、摩擦要素である発進クラッチ４とコントロールバルブ１１とを連通する油圧経路である。
【００４２】
バイパス路１３は、連通路１２と並列に設けられる油圧経路である。
【００４３】
アキュームレータ１４は、バイパス路１３に設けられて油圧を蓄圧する蓄圧手段である。
【００４４】
逆流防止弁１５は、バイパス路１３内であり且つアキュームレータ１４とコントロールバルブ１１との間に設けられて、アキュームレータ１４からコントロールバルブ１１への圧油の流れを阻止する逆止弁である。
【００４５】
連通路開閉弁１６は、連通路１２内に設けられて連通路１２を開閉する開閉弁である。原動機２通常運転時は、原動機制御装置３からの駆動信号に基づいて電磁弁１９が出力圧を発生し、連通路開閉弁１６は、電磁弁１９からの出力圧を受圧することによって開状態となる。一方、原動機２停止状態では、電磁弁１９からの出力圧が低下し、連通路開閉弁１６は、弾性体の付勢力によって閉状態となる。
【００４６】
バイパス路開閉弁１７は、バイパス路１３内であり且つアキュームレータ１４と発進クラッチ４との間に設けられてバイパス路１３を開閉する開閉弁である。原動機２通常運転時は、原動機制御装置３からの駆動信号に基づいて電磁弁１９が出力圧を発生し、バイパス路開閉弁１７は、電磁弁１９からの出力圧を受圧することによって閉状態となる。一方、原動機２停止状態では、電磁弁１９からの出力圧が低下し、バイパス路開閉弁１７は、弾性体の付勢力によって開状態となる。
【００４７】
尚、図１は、原動機２の通常運転時であって、連通路開閉弁１６が開状態であり且つバイパス路開閉弁１７が閉状態である状態を表している。
【００４８】
次に、原動機停止システム１の作用について説明する。原動機２通常運転時は、連通路１２が連通路開閉弁１６によって開状態とされるので、原動機２により駆動されるオイルポンプ６からの油圧を用いて複数の摩擦要素を係合又は解放させて自動変速機５の変速が行われる。また、連通路１２と並列に設けられたバイパス路１３が、アキュームレータ１４とコントロールバルブ１１との間のバイパス路開閉弁１７によって閉状態とされるので、発進クラッチ４とアキュームレータ１４との間が遮断され、コントロールバルブ１１からバイパス路１３を介してアキュームレータ１４に圧油が充填される。一方、原動機停止条件において原動機制御装置３によって原動機２が停止されてオイルポンプ６の駆動が停止された状態では、連通路１２が連通路開閉弁１６によって閉状態とされ且つバイパス路１３がバイパス路開閉弁１７によって開状態とされるので、逆流防止弁１５によってアキュームレータ１４からコントロールバルブ１１への圧油の流れが阻止されつつ、アキュームレータ１４に充填された圧油がバイパス路１３を介して発進クラッチ４へ確実に供給される。
【００４９】
以上詳述したことから明らかなように、本実施形態の原動機停止システム１によれば、再始動前の原動機２停止時に発進クラッチ４への圧油の充填を、特別な電動ポンプ等を用いることなく、簡単且つ安価な構成で確実に行うことができ、発進時の発進クラッチ４の結合に伴うショックを確実に防止することができる。また、コントロールバルブ１１よりも下流側のバイパス路１３にアキュームレータ１４が設けられているので、漏れ流量による圧力の低下が確実に防止される。
【００５０】
次に、前記第一の実施形態の第一の変形例について説明する。尚、前記実施形態と同一の部材には同一の符号を付し、それらについての詳細な説明を省略する（他の変形例及び実施形態も同様。）。前記第一の実施形態では、連通路開閉弁１６とバイパス路開閉弁１７とを別個の開閉弁により構成したが、第一の変形例の原動機停止システム５１では、図２に示すように、連通路開閉弁１６とバイパス路開閉弁１７とが共通の開閉弁で構成されている。本変形例によれば、弁体の使用個数を減らすことによって、システム全体をより簡単且つ安価な構成とすることができる。
【００５１】
次に、前記第一の実施形態の第二の変形例について説明する。前記第一の変形例では、共通の弁体で構成された連通路開閉弁１６及びバイパス路開閉弁１７を、電磁弁１９の油圧出力によって駆動する構成としたが、第二の変形例の原動機停止システム５２では、図３に示すように、連通路開閉弁１６及びバイパス路開閉弁１７が電気信号に基づいて開閉を行う電磁開閉弁により構成されている。本変形例では、電磁弁１９を省略できるので、原動機停止システム１を、より簡単な構成とすることができる。
【００５２】
次に、前記第一の実施形態の第三の変形例について説明する。第三の変形例の原動機停止システム５３では、図４に示すように、オイルポンプ６から供給されるライン圧（ＰＬ）によって、共通の弁体によって構成された連通路開閉弁１６及びバイパス路開閉弁１７を駆動するように構成したものである。本変形例によれば、原動機２の停止に伴ってオイルポンプ６からのライン圧が低下すると、連通路開閉弁１６が閉状態に、バイパス路開閉弁１７が開状態にそれぞれ自動的に切り換えられて、アキュームレータ１４に充填された圧油が発進クラッチ４へ確実に供給される。
【００５３】
次に、前記第一の実施形態の第四の変形例について説明する。第四の変形例の原動機停止システム５４では、図５に示すように、第一の実施形態の構成に加えて、発進クラッチ４の油圧を検出する圧力検出部２０を更に備え、原動機停止条件において圧力検出部２０による検出圧力が発進クラッチ４のピストンストローク終了荷重に相当する油圧以下になった場合に、原動機２停止状態を解除するように構成したものである。本変形例によれば、原動機２の停止状態が継続して発進クラッチ４の油圧が低下した場合に、発進クラッチ４の再係合によるショックを発生させることなく原動機を自動的に再始動することができる。
【００５４】
次に、本発明の第二の実施形態の原動機停止システム６１について説明する。原動機停止システム６１は、図６に示すように、コントロールバルブ１１と、第１連通路１２と、第１連通路１２から分岐した分岐路１３ａと、分岐路１３ａに設けられた油圧を蓄圧するアキュームレータ１４と、アキュームレータ１４とオイルポンプ６とを連通する第２連通路１３ｂと、逆流防止弁１５と、第１連通路開閉弁１６と、分岐路開閉弁１７とを備え、原動機２通常運転時は、第１連通路開閉弁１６を開状態とし且つ分岐路開閉弁１７を閉状態とする一方、原動機停止条件では、第１連通路開閉弁１６を閉状態とし且つ分岐路開閉弁１７を開状態とするように構成されている。
【００５５】
本実施形態によれば、原動機２の通常運転時は、発進クラッチ４とコントロールバルブ１１とを連通する第１連通路１２が第１連通路開閉弁１６によって開状態とされるので、原動機２により駆動されるオイルポンプ６からの油圧を用いて複数の摩擦要素を係合又は解放させて自動変速機５の変速が行われる。また、第１連通路１２から分岐した分岐路１３ａが分岐路開閉弁１７によって閉状態とされるので、発進クラッチ４とアキュームレータ１４との間が遮断され、オイルポンプ６から第２連通路１３ｂを介してアキュームレータ１４に圧油が充填される。一方、原動機停止条件において原動機制御装置３によって原動機２が停止されてオイルポンプ６の駆動が停止された状態では、第１連通路１２が第１連通路開閉弁１６によって閉状態とされ且つ分岐路１３ａが分岐路開閉弁１７によって開状態とされるので、第２連通路１３ｂ内に設けられた逆流防止弁１５によってアキュームレータ１４からオイルポンプ６への圧油の流れが阻止されつつ、アキュームレータ１４に充填された圧油が分岐路１３ａを介して発進クラッチ４へ確実に供給される。よって、前記第一の実施形態と同様に、再始動前の原動機２停止時に発進クラッチ４への圧油の充填を、特別な電動ポンプ等を用いることなく、簡単且つ安価な構成で確実に行うことができ、発進時の発進クラッチ４結合に伴うショックを確実に防止することができる。
【００５６】
次に、第三の実施形態の原動機停止システム６２について説明する。原動機停止システム６２では、図７に示すように、第一の実施形態の原動機停止システム１の構成に加えて、バイパス路１３内であり且つアキュームレータ１４と発進クラッチ４との間に設けられて、アキュームレータ１４からの油圧を一定値に減圧する減圧手段としての減圧弁２１を更に備えている。本実施形態によれば、減圧弁２１によって、アキュームレータ１４からの油圧が一定値に減圧されるので、発進クラッチ４への圧油供給時間をより長くすることができる。
【００５７】
ここで、図８（ａ）は、第一の実施形態における摩擦要素（発進クラッチ４）の油圧変化を示すグラフであり、（ｂ）は第三の実施形態における摩擦要素（発進クラッチ４）の油圧変化を示すグラフである。第一の実施形態の原動機停止システム１では、図８（ａ）に示すように、原動機２停止開始からアキュームレータ１４の出力油圧が低下し、時間ｔ１が経過すると、発進クラッチ４のピストンストローク終了荷重に相当する油圧（摩擦要素の棚圧）以下となって発進クラッチ４の圧力維持が限界に達するため、原動機２停止状態の解除、すなわち、再始動が行われる。
【００５８】
一方、第三の実施形態の原動機停止システム６２では、図８（ｂ）に示すように、原動機２停止開始からアキュームレータ１４の出力油圧が低下するが、減圧弁２１によって一定値に減圧されるため、時間ｔ１よりも長い時間ｔ１’経過後に、発進クラッチ４のピストンストローク終了荷重に相当する油圧（摩擦要素の棚圧）以下となる。よって、第三の実施形態によれば、発進クラッチ４への圧油供給時間が第一の実施形態よりも長くなり、原動機２の停止開始から停止解除して再始動するまでの時間が延長される。
【００５９】
次に、前記第三の実施形態の変形例について説明する。前記第三の実施形態では、連通路開閉弁１６とバイパス路開閉弁１７とを別個の開閉弁により構成したが、変形例の原動機停止システム６３では、図９に示すように、連通路開閉弁１６とバイパス路開閉弁１７とが共通の開閉弁で構成されている。本変形例によれば、弁体の使用個数を減らすことによって、原動機停止システム１をより簡単且つ安価な構成とすることができる。
【００６０】
次に、本発明の第四の実施形態の原動機停止システム６４について説明する。本実施形態の原動機停止システム６４では、図１０に示すように、第三の実施形態の原動機停止システム６２の構成において、バイパス路開閉弁１７を省略し、減圧弁２１によってバイパス路１３の開閉とアキュームレータ１４の出力油圧の減圧とを行う構成としたものである。
【００６１】
より詳細には、減圧弁２１は、減圧圧力設定値を決定する弾性手段（スプリング）２１ａと、弾性手段２１ａと対向する方向に出力圧の帰還圧力を受圧する第１受圧面２１ｂと、弾性手段２１と対向する方向に圧力を受圧する第２受圧面２１ｃとを有し、原動機２通常運転時には出力圧を発生する一方、原動機２停止状態では出力圧を低下させる電磁弁１９の出力圧を第２受圧面２１ｃに導入するように構成されている。
【００６２】
本実施形態の原動機停止システム６４によれば、原動機２通常運転時には電磁弁１９が出力圧を発生して第２受圧面２１ｃに導入され、弾性手段２１ａと対向する方向に圧力を受圧してアキュームレータ１４と発進クラッチ４との間が遮断されるので、コントロールバルブ１１からバイパス路１３を介してアキュームレータ１４に圧油が充填される。一方、原動機２停止状態では、電磁弁１９が出力圧を低下させると、弾性手段２１ａと対向する方向に第１受圧面２１ｂが出力圧の帰還圧力を受圧することにより、アキュームレータ１４からの圧油が減圧圧力設定値に減圧されて発進クラッチ４へ長時間に亘り確実に供給される。
【００６３】
次に、本発明の第五の実施形態の原動機停止システム６５について説明する。本実施形態の原動機停止システム６５は、前記第四の実施形態の原動機停止システム６４の構成に代えて、図１１に示すように、バイパス路１３をオイルポンプ６に連通させ、アキュームレータ１４への圧力供給がオイルポンプ６から行われる構成としたものである。本実施形態によれば、オイルポンプ６から圧力供給されてアキュームレータ１４に充填された圧油が、原動機停止条件において、バイパス路１３内におけるアキュームレータ１４と発進クラッチ４との間に設けられた減圧弁２１によって一定値に減圧されて発進クラッチ４へ長時間に亘り確実に供給される。
【００６４】
尚、本発明は上述した実施形態に限定されるものではなく、本発明の主旨を逸脱しない範囲で種々の変更を施すことが可能である。
【産業上の利用可能性】
【００６５】
本発明は、自動変速機を備えた車両に用いられる原動機停止システムに適用可能である。
【図面の簡単な説明】
【００６６】
【図１】本発明の第一の実施形態である原動機停止システムを示す全体構成図である。
【図２】第一の実施形態の第一の変形例を示す全体構成図である。
【図３】第一の実施形態の第二の変形例を示す全体構成図である。
【図４】第一の実施形態の第三の変形例を示す全体構成図である。
【図５】第一の実施形態の第四の変形例を示す全体構成図である。
【図６】第二の実施形態である原動機停止システムを示す全体構成図である。
【図７】第三の実施形態である原動機停止システムを示す全体構成図である。
【図８】（ａ）は第一の実施形態における摩擦要素（発進クラッチ）の油圧変化を示すグラフであり、（ｂ）は第三の実施形態における摩擦要素（発進クラッチ）の油圧変化を示すグラフである。
【図９】第三の実施形態の変形例を示す全体構成図である。
【図１０】第四の実施形態である原動機停止システムを示す全体構成図である。
【図１１】第五の実施形態である原動機停止システムを示す全体構成図である。
【図１２】第一の従来例の原動機停止システムを示す全体構成図である。
【図１３】第二の従来例の原動機停止システムを示す全体構成図である。
【符号の説明】
【００６７】
１    原動機停止システム（第一の実施形態）
２    原動機
３    原動機制御装置
４    発進クラッチ（摩擦要素）
５    自動変速機
６    オイルポンプ（油圧供給源）
１０    油圧制御装置
１１    コントロールバルブ（油圧制御手段）
１２    連通路，第１連通路
１３    バイパス路
１３ａ  分岐路
１３ｂ  第２連通路
１４    アキュームレータ（蓄圧手段）
１５    逆流防止弁
１６    連通路開閉弁（連通路開閉手段），第１連通路開閉弁（第１連通路開閉手段）
１７    バイパス路開閉弁（バイパス路開閉手段），分岐路開閉弁（分岐路開閉手段）
１９    電磁弁（電磁油圧出力手段）
２０    圧力検出部（圧力検出手段）
２１    減圧弁（減圧手段）
５１    原動機停止システム（第一の実施形態の第一の変形例）
５２    原動機停止システム（第一の実施形態の第二の変形例）
５３    原動機停止システム（第一の実施形態の第三の変形例）
５４    原動機停止システム（第一の実施形態の第四の変形例）
６１    原動機停止システム（第二の実施形態）
６２    原動機停止システム（第三の実施形態）
６３    原動機停止システム（第三の実施形態の変形例）
６４    原動機停止システム（第四の実施形態）
６５    原動機停止システム（第五の実施形態）
【図１】
0004775639.tif 000002
【図２】
0004775639.tif 000003
【図３】
0004775639.tif 000004
【図４】
0004775639.tif 000005
【図５】
0004775639.tif 000006
【図６】
0004775639.tif 000007
【図７】
0004775639.tif 000008
【図８】
0004775639.tif 000009
【図９】
0004775639.tif 000010
【図１０】
0004775639.tif 000011
【図１１】
0004775639.tif 000012
【図１２】
0004775639.tif 000013
【図１３】
0004775639.tif 000014